(57)【要約】  アイテム削除機能を有するＧＵＩ（Ｇｒａｐｈｉｃ  Ｕｓｅｒ  Ｉｎｔｅｒｆａｃｅ）提供方法は、１つ以上のアイテムを表示する段階と；ユーザのタッチ後にタッチ位置移動動作を感知する段階と；前記タッチ位置移動動作の移動経路上に位置する少なくとも１つのアイテムを削除する段階と；を含む。
2014517386.tif 000002
【特許請求の範囲】
【請求項１】
表示装置のアイテム削除機能を有するＧＵＩ（Ｇｒａｐｈｉｃ  Ｕｓｅｒ  Ｉｎｔｅｒｆａｃｅ）提供方法であって、
１つ以上のアイテムを表示する段階と；
タッチ入力に対応してタッチ位置移動動作を感知する段階と；
前記タッチ位置移動動作の移動経路上に位置する少なくとも１つのアイテムを削除する段階と；を含むことを特徴とするＧＵＩ提供方法。
【請求項２】
前記削除された少なくとも１つのアイテム上へのタッチ位置移動動作を感知する段階と；
前記タッチ位置移動動作の移動経路上の削除されたアイテムを復元させて表示する段階と；をさらに含むことを特徴とする請求項１に記載のＧＵＩ提供方法。
【請求項３】
前記１つ以上のアイテムを表示する表示する段階は、
削除アイコンを表示する段階をさらに含むことを特徴とする請求項１に記載のＧＵＩ提供方法。
【請求項４】
前記タッチ位置移動動作を感知する段階は、
前記削除アイコンへのタッチ後、タッチ位置移動動作の入力を感知する段階であることを特徴とする請求項３に記載のＧＵＩ提供方法。
【請求項５】
前記少なくとも１つのアイテムを削除する段階は、
前記タッチ位置移動動作の移動経路に沿って前記削除アイコンを移動させる段階と；
前記削除アイコンの移動経路上に位置する少なくとも１つのアイテムを削除する段階と；を含むことを特徴とする請求項４に記載のＧＵＩ提供方法。
【請求項６】
前記タッチ位置移動動作を感知する段階は、
前記タッチ位置移動動作の移動速度を測定する段階と；
前記測定された移動速度が既定の速度閾値以上に該当するかを判定する段階と；をさらに含むことを特徴とする請求項１に記載のＧＵＩ提供方法。
【請求項７】
前記少なくとも１つのアイテムを削除する段階は、
前記移動速度が前記速度閾値以上である場合、前記タッチ位置移動動作の移動方向に配列されたアイテム全体を削除する段階と；
前記移動速度が前記速度閾値未満である場合、前記タッチ位置移動動作の移動経路上に位置する少なくとも１つのアイテムを削除する段階と；を含むことを特徴とする請求項６に記載のＧＵＩ提供方法。
【請求項８】
前記削除された少なくとも１つのアイテム上へのタッチ位置移動動作を感知する段階は、
入力された前記タッチ位置移動動作の移動速度を測定する段階と；
前記測定された移動速度が既定の速度閾値以上に該当するかを判定する段階と；をさらに含むことを特徴とする請求項２に記載のＧＵＩ提供方法。
【請求項９】
前記削除されたアイテムを復元させて表示する段階は、
前記移動速度が前記速度閾値以上である場合、前記タッチ位置移動動作の移動方向に削除されたアイテム全体を復元させて表示する段階と；
前記移動速度が前記速度閾値未満である場合、前記タッチ位置移動動作の移動経路上の削除されたアイテムを復元させて表示する段階と；を含むことを特徴とする請求項８に記載のＧＵＩ提供方法。
【請求項１０】
前記少なくとも１つのアイテムを削除する段階は、
前記タッチ位置移動動作の移動経路上に位置する少なくとも１つのアイテムをディミング（ｄｉｍｍｉｎｇ）処理して表示する段階と；
タッチ解除入力を感知する段階と；
前記ディミング処理された少なくとも１つのアイテムを削除する段階と；を含むことを特徴とする請求項１に記載のＧＵＩ提供方法。
【請求項１１】
前記１つ以上のアイテムを表示する段階の後に、
前記削除アイコンへのタッチ後、タッチ解除入力を感知する段階と；
前記表示されたアイテム上へのタッチ入力を感知する段階と；
前記タッチ入力された領域に削除アイコンを移動させて表示する段階と；をさらに含むことを特徴とする請求項５に記載のＧＵＩ提供方法。
【請求項１２】
前記タッチ位置移動動作を感知する段階は、
前記タッチ位置移動動作の移動速度を測定する段階と；
前記測定された移動速度が既定の速度閾値以上に該当するかを判定する段階と；
前記測定された移動速度が前記速度閾値以上である場合、前記タッチ位置移動動作の移動方向を判定する段階と；をさらに含むことを特徴とする請求項１に記載のＧＵＩ提供方法。
【請求項１３】
前記少なくとも１つのアイテムを削除する段階は、
前記移動方向が横方向の場合、前記横方向に配列された１列のアイテムを削除して表示する段階と；
前記移動方向がアイテム配列の開始点に向ける方向の場合、前記表示されたアイテム全体を削除して表示する段階と；
前記測定された移動速度が速度閾値未満である場合、前記タッチ位置移動動作の移動経路上に位置する少なくとも１つのアイテムを削除する段階と；を含むことを特徴とする請求項１２に記載のＧＵＩ提供方法。
【請求項１４】
アイテム削除機能を行うＧＵＩ（Ｇｒａｐｈｉｃ  Ｕｓｅｒ  Ｉｎｔｅｒｆａｃｅ）を提供する表示装置において、
１つ以上のアイテムを表示する表示部と；
タッチ入力に対応してタッチ位置移動動作入力を感知するタッチセンサー部と；
前記タッチセンサー部を介して感知したタッチ位置移動動作の移動経路を判定し、前記表示部を制御し、前記タッチ位置移動動作の前記移動経路上に位置する少なくとも１つのアイテムを削除する制御部と；を含むことを特徴とする表示装置。
【請求項１５】
前記制御部は、
前記タッチセンサー部を介して前記削除された少なくとも１つのアイテム上へのタッチ位置移動動作を感知すれば、前記表示部を制御し、前記タッチ位置移動動作の移動経路上の前記削除された少なくとも１つのアイテムを復元させて表示することを特徴とする請求項１４に記載の表示装置。
【発明の詳細な説明】
【技術分野】
【０００１】
本発明は、表示装置のＧＵＩ（Ｇｒａｐｈｉｃ  Ｕｓｅｒ  Ｉｎｔｅｒｆａｃｅ）に関し、特にテキスト（ｔｅｘｔ）などのアイテムを削除する機能のＧＵＩを提供する方法とこれを具現化する装置に関する。
【背景技術】
【０００２】
最近、タッチスクリーン基盤の端末機が広く使用されている。特に、タッチスクリーン基盤の移動通信端末機またはタブレット（ｔａｂｌｅｔ）パソコンは、現代人の必需品になった。ユーザは、前記端末機を用いてＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｅ  Ｓｅｒｖｉｃｅ）、電子メール（ｅｍａｉｌ）などを作成するか、インターネットブラウザー（ｉｎｔｅｒｎｅｔ  ｂｒｏｗｓｅｒ）で情報を検索し、連絡先（ｃｏｎｔａｃｔ）、カレンダー（ｃａｌｅｎｄａｒ）機能を用いて連絡先管理や日程管理を行う。
【０００３】
前記のような機能実行のために、端末機は、テキスト入力インターフェースをユーザに提供する。端末機は、テキスト入力窓とキーパッドを表示し、ユーザがキーパッドの文字キー、数字キーなどを入力すれば、ユーザが入力したキーに該当するテキストがテキスト入力窓に表示される。
【０００４】
ユーザがテキスト入力中に修正事項がある場合、キーパッドに含まれた削除キーを入力し、入力されたテキストの一部または全部を削除するようになる。一般的に、端末機は、削除キー１回入力に対して１つのテキストの１文字を削除する。したがって、削除しようとする分量が多い場合、ユーザは、削除キーを継続的に入力しなければならない。これは、ユーザに煩雑な作業になる。
【０００５】
このような煩雑を低減するために、テキスト入力窓に入力されたテキストをすべて削除する機能のキーを提供する端末機が登場した。しかし、これらの端末機は、入力されたテキストを部分的に削除することができないという欠点と既に削除されたテキストを復元することができないという欠点とを依然として有している。
【発明の概要】
【発明が解決しようとする課題】
【０００６】
本発明の目的は、テキストなどのアイテムを削除する過程においてユーザの利便性を向上させることができるアイテム削除機能のＧＵＩ（Ｇｒａｐｈｉｃ  Ｕｓｅｒ  Ｉｎｔｅｒｆａｃｅ）提供方法及びこれを具現化する表示装置を提供することにある。
【課題を解決するための手段】
【０００７】
本発明の実施形態によるアイテム削除機能を有するＧＵＩ（Ｇｒａｐｈｉｃ  Ｕｓｅｒ  Ｉｎｔｅｒｆａｃｅ）提供方法は、１つ以上のアイテムを表示する段階と；ユーザのタッチ後にタッチ位置移動動作の入力を感知する段階と；前記タッチ位置移動動作の移動経路上に位置する少なくとも１つのアイテムを削除する段階と；を含むことを特徴とする。
【０００８】
本発明の実施形態によるアイテム削除機能を有するＧＵＩ（Ｇｒａｐｈｉｃ  Ｕｓｅｒ  Ｉｎｔｅｒｆａｃｅ）を提供する表示装置は、１つ以上のアイテムを表示する表示部と；ユーザのタッチ後にタッチ位置移動動作の入力を感知するタッチセンサー部と；前記タッチセンサー部を用いて感知したタッチ位置移動動作の移動経路を判定し、前記表示部を制御し、前記タッチ位置移動動作の前記移動経路上に位置する少なくとも１つのアイテムを削除する制御部とを含むことを特徴とする。
【発明の効果】
【０００９】
本発明によれば、ユーザは、キーパッドで構成された削除キーを繰り返して入力しないとしても、比較的多い量のテキストを迅速で且つ容易に削除することができる。特に、ユーザは、入力されたテキストの全体を削除する時だけでなく、一部を削除する時にも、迅速で且つ容易に削除することができるようになる。
【図面の簡単な説明】
【００１０】
【図１】図１は、本発明の実施形態による表示装置１００の内部構成図である。
【図２】図２は、本発明の実施形態によるアイテム削除機能のＧＵＩ提供方法を説明するフローチャートである。
【図３】図３は、本発明の実施形態によるアイテム入力窓と削除アイテムを示す例示図である。
【図４】図４は、図２の実施形態によって表示される表示装置１００画面の例示図である。
【図５】図５は、図２の実施形態によって表示される表示装置１００画面の他の例示図である。
【図６】図６は、本発明の他の実施形態によるアイテム削除機能のＧＵＩ提供方法を説明するフローチャートである。
【図７】図７は、図６の実施形態によって表示される表示装置１００画面の例示図である。
【図８】図８は、本発明のさらに他の実施形態によるアイテム削除機能のＧＵＩ提供方法を説明するフローチャートである。
【図９】図９は、図８の実施形態によって表示される表示装置１００画面の例示図である。
【図１０】図１０は、本発明のさらに他の実施形態によるアイテム削除機能のＧＵＩ提供方法を説明するフローチャートである。
【図１１】図１１は、図１０の実施形態によって表示される表示装置１００画面の例示図である。
【発明を実施するための形態】
【００１１】
本発明において‘アイテム（ｉｔｅｍ）’は、ユーザがキーパッドを介して入力する個別グラフィックオブジェクトを意味する。アイテムは、文字、数字などのテキスト（ｔｅｘｔ）、文章符号（ｐｕｎｃｔｕａｔｉｏｎ  ｍａｒｋ）、エモティコン（顔文字：ｅｍｏｔｉｃｏｎ）などを含んでもよい。
【００１２】
本発明の実施形態による表示装置は、携帯用端末機であってもよく、テレビ、モニターなどの非携帯用ディスプレイ装置であってもよい。携帯用端末機の場合、移動通信端末機、携帯用マルチメディア再生装置（Ｐｏｒｔａｂｌｅ  Ｍｕｌｔｉｍｅｄｉａ  Ｐｌａｙｅｒ−ＰＭＰ）、個人情報端末機（Ｐｅｒｓｏｎａｌ  Ｄｉｇｉｔａｌ  Ａｓｓｉｓｔａｎｔ−ＰＤＡ）、ＭＰ３プレーヤーなどのような情報通信機器及びマルチメディア機器を含むことができる。
【００１３】
図１は、本発明の実施形態による表示装置１００の内部構成図である。本発明の表示装置１００は、格納部１１０、タッチスクリーン部１２０、キー入力部１３０及び制御部１４０を含む。
【００１４】
格納部１１０は、表示装置１００の動作に必要なプログラム及びデータを格納する構成要素であって、表示装置１００を起動させるオペレーティングシステム（ＯＳ、Ｏｐｅｒａｔｉｎｇ  Ｓｙｓｔｅｍ）、アプリケーション及びイメージ、オーディオ、ビデオなどのデータを格納することができる。本発明において格納部１１０は、アイテムを入力できるアプリケーション（アイテム入力可能アプリケーション）及びタッチ位置移動動作の入力によってアイテムを削除するアルゴリズムを格納する。
【００１５】
タッチスクリーン部１２０は、タッチセンサー部１２１及び表示部１２２を含む。タッチセンサー部１２１は、ユーザのタッチ入力を感知する。タッチセンサー部１２１は、静電容量方式（ｃａｐａｃｉｔｉｖｅ  ｏｖｅｒｌａｙ）、抵抗膜方式（ｒｅｓｉｓｔｉｖｅ  ｏｖｅｒｌａｙ）のタッチ感知センサーであってもよく、前記センサー以外にも物体の接触を感知することができるすべての種類のセンサー機器が本発明のタッチセンサー部１２１で構成されてもよい。タッチセンサー部１２１は、ユーザのタッチ入力を感知し、感知信号を発生させて制御部１４０に伝送する。前記感知信号には、ユーザがタッチを入力した座標データが含まれる。ユーザがタッチ位置移動動作を入力した場合、タッチセンサー部１２１は、タッチ位置移動経路の座標データを含む感知信号を制御部１４０に伝送する。
【００１６】
表示部１２２は、液晶表示装置（ＬＣＤ、Ｌｉｑｕｉｄ  Ｃｒｙｓｔａｌ  Ｄｉｓｐｌａｙ）、有機発光ダイオード（ＯＬＥＤ、Ｏｒｇａｎｉｃ  Ｌｉｇｈｔ  Ｅｍｉｔｔｉｎｇ  Ｄｉｏｄｅｓ）、能動型有機発光ダイオード（ＡＭＯＬＥＤ、Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ）などを含むことができ、表示装置１００に格納されたデータまたは入力されたデータをユーザに視覚的に提供する。アイテム入力可能アプリケーション実行時に、表示部１２２は、アイテム入力窓とアイテム削除機能のインターフェースを提供する削除アイコンを一緒に表示する。ユーザが削除アイコンにタッチ後、タッチ位置移動動作を入力すれば、表示部１２２は、タッチ位置移動経路に沿って削除アイコンを移動させて表示し、削除アイコンの移動経路上に位置するアイテムを削除して表示する。
【００１７】
キー入力部１３０は、表示装置１００でタッチスクリーン部１２０以外の領域に形成される入力装置であって、タッチセンサー部１２１と同様に入力信号を生成し、制御部１４０に伝達する。キー入力部１３０は、数字キー、方向キーを含むキーパッドで構成されてもよく、個別キーで構成されてもよい。キー入力部１３０は、ボタン式またはタッチセンサー方式で構成されてもよい。本発明の実施形態によってタッチスクリーン部１２０だけですべての操作が可能な表示装置の場合には、キー入力部１３０が省略されてもよい。
【００１８】
制御部１４０は、表示装置１００の全般的な動作を制御する構成要素である。本発明において制御部１４０は、表示部１２２に複数のアイテムが表示されている状態で、タッチセンサー部１２１を介してタッチ後、タッチ位置移動動作の入力を感知すれば、表示部１２２を制御し、入力されたタッチ位置移動動作の移動経路上に位置するアイテムを削除して表示する。制御部１４０は、タッチセンサー部１２１を介してタッチ解除を感知すれば、アイテム削除過程を完了し、タッチが解除される前に、削除されたアイテムが存在した位置へのタッチ位置移動動作を感知すれば、タッチ位置移動経路上に位置した削除されたアイテムを復元させて表示する。
【００１９】
制御部１４０は、表示部１２２を制御し、複数のアイテムを表示しながら削除機能のインターフェースを提供する削除アイコンを一緒に表示することができる。制御部１４０は、タッチセンサー部１２１を介して削除アイコンへのタッチ後、タッチ位置移動動作の入力を感知すれば、表示部１２２を制御し、タッチ位置移動経路に沿って削除アイコンを移動させて表示し、削除アイコンの移動経路上に位置するアイテムを削除して表示することができる。制御部１４０は、タッチセンサー部１２１を介してタッチが解除される前、削除されたアイテムが存在した位置へのタッチ位置移動動作を感知すれば、表示部１２２を制御し、タッチ位置移動経路に沿って削除アイコンを移動させて表示し、削除アイコンの移動経路上に位置した削除されたアイテムを復元させて表示することができる。
【００２０】
本実施形態によって、制御部１４０は、タッチセンサー部１２１を介してタッチ後、タッチ位置移動動作の入力を感知すれば、タッチ位置移動動作の移動速度を測定し、測定された移動速度と既定の速度閾値Ｖｔｈを比較することができる。移動速度が速度閾値以上のものと判定すれば、制御部１４０は、表示部１２２を制御し、タッチ位置移動方向に配列されているアイテム全体を削除して表示し、移動速度が速度閾値未満のものと判定すれば、タッチ位置移動経路上に位置するアイテムを削除して表示することができる。また、制御部１４０は、タッチセンサー部１２１を介してタッチが解除される前、削除されたアイテムが存在した位置へのタッチ位置移動動作を感知すれば、タッチ位置移動動作の移動速度を測定し、測定された移動速度と速度閾値Ｖｔｈを比較し、移動速度が速度閾値以上のものと判定すれば、表示部１２２を制御し、タッチ位置移動方向に削除されたアイテム全体を復元させて表示し、移動速度が速度閾値未満のものと判定すれば、タッチ位置移動経路上に位置した削除されたアイテムを復元させて表示することができる。
【００２１】
本実施形態によって制御部１４０は、表示部１２２を制御し、複数のアイテムと削除アイコンを表示し、タッチセンサー部１２１を介して削除アイコンへのタッチ後、タッチ解除を感知し、アイテム上へのタッチ入力を感知すれば、前記表示部１２２を制御し、前記タッチ入力された領域に削除アイコンを移動させて表示することができる。
【００２２】
本実施形態によって制御部１４０は、表示部１２２を制御し、複数のアイテムと削除アイコンを表示する。制御部１４０は、タッチセンサー部１２１を介して削除アイコンへのタッチ後、タッチ位置移動動作を感知すれば、入力されたタッチ位置移動動作の移動速度を測定し、測定された移動速度と既定の速度閾値Ｖｔｈを比較する。制御部１４０は、移動速度が速度閾値以上のものと判定すれば、入力されたタッチ位置移動動作の移動方向を判定する。制御部１４０は、移動方向が横方向のものであると判定すれば、表示部１２２を制御し、横方向に配列された１列のアイテムを削除する。制御部１４０は、移動方向がアイテム配列の開始点に向ける方向である場合、表示部１２２を制御し、アイテム入力窓に表示されたアイテム全体を削除して表示する。
【００２３】
図２は、本発明の実施形態による表示装置１００のアイテム削除機能ＧＵＩ提供方法を説明するフローチャートである。
【００２４】
ステップ２０１で、制御部１４０は、表示部１２２を制御し、アイテム入力窓及び削除アイテムを表示する。本発明においてアイテムは、ユーザがキーパッドを介して入力する個別のグラフィックオブジェクトであって、文字、数字などのテキスト（ｔｅｘｔ）、文章符号（ｐｕｎｃｔｕａｔｉｏｎ  ｍａｒｋ）、エモティコン（顔文字：ｅｍｏｔｉｃｏｎ）などを含むことができる。アイテム入力窓は、アイテムを表示できるように一定のサイズを有する領域で構成され、アイテム入力位置を指示するカーソル（ｃｕｒｓｏｒ）を表示することができる。
【００２５】
図３は、本発明の実施形態によるアイテム入力窓と削除アイテムを示す例示図である。
【００２６】
図３の［ａ］は、アイテムを１列で入力することができるアイテム入力窓３１と削除アイコン３２を示している。アイテム入力窓３１には、アイテム入力位置を指示するカーソルが含まれており、削除アイコン３２には、タッチ移動方向を指示する矢印が含まれている。
【００２７】
図３の［ｂ］は、アイテムを複数列で入力することができるアイテム入力窓３３と削除アイコン３４を示している。図３の［ｂ］は、図３の［ａ］と同様に、アイテム入力窓３３には、カーソルが含まれており、削除アイコン３４には、矢印が含まれている。
【００２８】
図２のステップ２０２で、制御部１４０は、タッチセンサー部１２１を制御し、キー入力を認識する。制御部１４０は、表示部１２２を制御し、アイテム入力窓と削除アイコンを表示しながら、キーパッドを一緒に表示することができる。ユーザは、表示部１２２に表示されたキーパッド上のキーを入力すれば、制御部１４０は、タッチセンサー部１２１を介してキー入力を認識するようになる。表示装置１００にタッチスクリーン部１２０と別個でキー入力部１３０が設置されている場合、ユーザがキー入力部１３０を介してキーを入力すれば、制御部１４０は、キー入力を認識するようになる。
【００２９】
ステップ２０３で、制御部１４０は、表示部１２２を制御し、入力されたキーに対応するアイテムを表示する。ユーザがタッチスクリーン部１２０またはキー入力部１３０を介してアルファベット、数字などを入力すれば、制御部１４０は、表示部１２２を制御し、入力されたアルファベット、数字などを表示する。
【００３０】
ステップ２０４で、制御部１４０は、タッチセンサー部１２１を介して削除アイコンへのタッチ後、タッチ位置移動動作が入力されるかを判定する。ユーザが入力したアイテムのうち一部または全部を削除しようとする場合、削除アイコンにタッチを入力し、削除しようとするアイテムまでタッチ位置移動動作を入力するようになり、制御部１４０は、タッチセンサー部１２１を介して削除アイコンへのタッチ後、タッチ位置移動動作入力を認識するようになる。図２の実施形態においてタッチ位置移動動作は、移動速度が既定の速度閾値Ｖｔｈ未満であり、移動後、タッチ入力を維持するドラッグ（ｄｒａｇ）動作に該当することが好ましい。
【００３１】
ステップ２０５で、制御部１４０は、表示部１２２を制御し、タッチ位置移動経路に沿って削除アイコンを移動させて表示し、ステップ２０６で、制御部１４０は、表示部１２２を制御し、タッチ位置移動経路上に位置するアイテムを削除して表示する。アイテムが１列で配列される場合、制御部１４０は、表示部１２２を介して削除アイコンが通過する経路に位置するアイテムを削除することができる。アイテムが複数列で配列される場合、制御部１４０は、表示部１２２を介して削除アイコンの移動前の位置と移動後の位置との間に存在するアイテムを削除することができる。
【００３２】
ユーザがタッチ入力を維持しているとき、ステップ２０７で、制御部１４０は、タッチセンサー部１２１を介してタッチ解除が発生するかを判定する。タッチ解除が発生するものと判定すれば、ステップ２０８で、制御部１４０は、アイテム削除過程を完了する。制御部１４０は、タッチ解除が発生する直前のアイテム削除状態をそのまま維持し、アイテム削除状態を確定する。この際、制御部１４０は、表示部１２２を制御し、削除アイコンを元の位置に復帰させて表示することができる。
【００３３】
ステップ２０７で、タッチ解除が発生しないものと判定すれば、制御部１４０は、ステップ２０９に進み、タッチセンサー部１２１を介して削除されたアイテム上にタッチ位置移動動作が入力されるかを判定する。ユーザは、削除されたアイテムを復元させようとする場合、削除されたアイテムが位置した領域にさらにタッチ位置移動動作を入力するようになる。削除されたアイテムが位置した領域にタッチ位置移動動作が入力されることを認識すれば、ステップ２１０で、制御部１４０は、表示部１２２を制御し、タッチ位置移動経路に沿って削除アイコンを移動させて表示し、ステップ２１１で、タッチ位置移動経路上に位置した削除されたアイテムを復元させて表示する。その後、制御部１４０は、ステップ２０７に進み、タッチ解除が発生するかを判定し、タッチ解除が発生したものと判定すれば、ステップ２０８に進み、アイテム削除過程を完了する。
【００３４】
本発明の実施形態によって、制御部１４０は、タッチセンサー部１２１を介して削除アイコンへのタッチ後、タッチ位置移動動作の入力を感知すれば、表示部１２２を制御し、削除アイコンを移動した位置に到達するように表示することができ、タッチ解除を感知すれば、さらに元の形態に戻して表示することもできる。
【００３５】
本発明の実施形態によって制御部１４０は、ステップ２０１で、削除アイコンを表示せず、アイテム入力窓だけを表示することができる。アイテム入力窓に複数のアイテムが表示された状態で、ユーザがアイテム上にタッチ後、タッチ位置移動動作を入力すれば、制御部１４０は、表示部１２２を制御し、入力されたタッチ位置移動動作の移動経路上に位置するアイテムを削除して表示することができる。
【００３６】
本発明の実施形態によって制御部１４０は、ステップ２０６で、表示部１２２を制御し、タッチ位置移動経路上に位置するアイテムに対してディミング（ｄｉｍｍｉｎｇ）処理を行うことができる。その後、ステップ２０７で、タッチ解除が発生すれば、制御部１４０は、表示部１２２を制御し、前記ディミング処理が行われたアイテムを削除して表示することができる。ユーザのタッチ位置移動動作が入力されたとき、移動経路上に位置するアイテムに対しては、はじめから削除せず、優先的にディミング処理を行うことは、どんなアイテムが削除されるかをユーザが把握できるようにし、必要に応じて削除されるアイテムを復元させることができるようにするためである。
【００３７】
図４は、図２の実施形態によって表示される表示装置１００画面の例示図である。
【００３８】
図４の［ａ］は、１列で入力可能なアイテム入力窓３１、削除アイコン３２及び１７個のアイテム３３（ｗ、ｗ、ｗ、．、ｎ、ｅ、ｗ、ｙ、ｏ、ｒ、ｋ、ｅ、ｒ、．、ｃ、ｏ、ｍ）を表示しており、ユーザが削除アイコン３２にタッチを入力する形態を示している。
【００３９】
図４の［ｂ］は、ユーザが削除アイコン３２をアイテム‘ｙ’の隣まで移動させた形態を示す。図４の［ｂ］で、‘ｙ’を含んで‘ｙ’の前方部である‘ｗｗｗ．ｎｅｗｙ’は、削除されずに維持され、‘ｙ’の後方部である‘ｏｋｅｒ．ｃｏｍ’は、削除される。
【００４０】
図４の［ｃ］は、ユーザが削除アイコン３２を左端まで移動させた形態を示す。図４の［ｃ］では、最初表示されていた１７個のアイテム３３（ｗｗｗ．ｎｅｗｙｏｒｋｅｒ．ｃｏｍ）がすべて削除されて表示される。
【００４１】
図４の［ｄ］は、図４の［ｃ］でユーザがタッチを解除したときに表示される画面に該当する。図４の［ｄ］で、削除アイコン３２は、元の位置に復帰して表示され、最初表示されていた１７個のアイテム３５は、すべて削除された状態に維持される。
【００４２】
図４の［ｅ］は、図４の［ｂ］でユーザがタッチ解除を入力したときに表示される画面に該当する。図４の［ｅ］で、削除アイコン３２は、元の位置に復帰して表示され、図４の［ｂ］で表示されていた‘ｗｗｗ、ｎｅｗｙ’だけが表示された状態に維持される。
【００４３】
図４の［ｆ］は、図４の［ｂ］でユーザがアイテムを削除した方向と反対方向にタッチ位置移動動作を入力する形態を示す。図４の［ｆ］では、タッチ位置移動動作によって図４の［ｂ］で削除された‘ｏｋｅｒ．ｃｏｍ’が復元されて表示される。図４の［ｇ］は、図４の［ｆ］でユーザがタッチ解除を入力したときに表示される画面に該当する。図４の［ｇ］では、図４の［ｆ］の表示形態がそのまま維持される。
【００４４】
図５は、図２の実施形態によって表示される表示装置１００画面の他の例示図である。
【００４５】
図５の［ａ］は、複数の列で入力可能なアイテム入力窓３３、削除アイコン３４及び６列で構成された複数のアイテム３６（Ｔ、ｈ、ｅ、Ｃ、Ｅ、Ｏ、．．．．．ｉ、Ｐ、ｈ、ｏ、ｎ、ｅ）、ユーザによってタッチ入力された削除アイコン３４を表示している。
【００４６】
図５の［ｂ］は、ユーザが削除アイコン３４を三番目の列の‘ｉＰｈｏｎｅ’まで移動させた形態を示す。図５の［ｂ］で、削除アイコン３４の前方部である‘Ｔｈｅ  ＣＥＯ〜ｂｒｉｎｇｉｎｇ  ｉＰｈｏｎｅ’は、表示状態が維持され、削除アイコン３４の移動前位置と移動後位置との間に存在するアイテムである‘ａｂｒｏａｄ．Ａｎｄ〜ｉＰｈｏｎｅ’は、ディミング（ｄｉｍｍｉｎｇ）処理されて表示される。
【００４７】
図５の［ｃ］は、図５の［ｂ］でユーザがタッチを解除したときに表示される画面に該当する。図５の［ｃ］で、削除アイコン３４は、元の位置に復帰して表示され、図５の［ｂ］でディミング処理されていたアイテムである‘ａｂｒｏａｄ．Ａｎｄ〜ｉＰｈｏｎｅ’は、削除され、前部である‘Ｔｈｅ  ＣＥＯ〜ｂｒｉｎｇｉｎｇ  ｉＰｈｏｎｅ’の表示状態は、維持される。
【００４８】
図６は、本発明の他の実施形態によるアイテム削除機能のＧＵＩ提供方法を説明するフローチャートである。図６の実施形態は、ユーザによって入力されるタッチ位置移動動作の移動速度を測定し、測定された移動速度によって異なる動作を行う実施形態に該当する。
【００４９】
ステップ６０１で、制御部１４０は、表示部１２２を制御し、アイテム入力窓及び削除アイテムを表示する。制御部１４０は、ステップ６０２で、タッチセンサー部１２１を制御し、キー入力を認識すれば、ステップ６０３で、表示部１２２を制御し、入力されたキーに対応するアイテムを表示する。ステップ６０４で、タッチセンサー部１２１を介して削除アイコンへのタッチ後、タッチ位置移動動作が入力されれば、ステップ６０５で、制御部１４０は、タッチ位置移動速度が既定の速度閾値Ｖｔｈ以上に該当するかを判定する。図６の実施形態においてタッチ位置移動速度がＶｔｈ以上の動作は、ユーザがタッチ位置移動後にすぐタッチを解除するフリック（ｆｌｉｃｋ）動作に該当することが好ましい。すなわち、ステップ６０４及びステップ６０５で、制御部１４０は、タッチ位置移動速度がＶｔｈ以上であり、且つタッチ位置移動後にすぐタッチが解除される動作が入力されるか、またはタッチ位置移動速度がＶｔｈ未満であり、且つタッチ位置移動後にタッチ入力が維持される動作が入力されるかを判定することができる。
【００５０】
ステップ６０５で、タッチ位置移動速度がＶｔｈ以上のものと判定すれば、制御部１４０は、ステップ６０６で、表示部１２２を制御し、削除アイコンをタッチ位置移動方向の端部まで移動させて表示し、ステップ６０７で、タッチ位置移動方向に配列されたアイテム全体を削除して表示する。すなわち、アイテムが横方向に配列され、削除アイコンが右端に位置している場合、ユーザが削除アイコンをタッチし、左側方向にフリックを入力すれば、制御部１４０は、表示部１２２を制御し、削除アイコンを左端まで移動させて表示しながら、削除アイコンが通過する方向に配列されたアイテム全体を削除して表示する。本実施形態によって制御部１４０は、表示部１２２を制御し、削除アイコンをタッチ位置移動方向の端部まで移動させた後、さらに元の位置に復帰させて表示することができる。
【００５１】
ステップ６０５で、タッチ位置移動速度がＶｔｈ未満のものと判定すれば、制御部１４０は、ステップ６０８で、表示部１２２を制御し、タッチ位置移動経路に沿って削除アイコンを移動させて表示し、ステップ６０９で、表示部１２２を制御し、タッチ位置移動経路上に位置するアイテムを削除して表示する。アイテムが１列で配列される場合、制御部１４０は、表示部１２２を通じて削除アイコンが通過する経路に位置するアイテムを削除することができ、アイテムが複数列で配列される場合、制御部１４０は、表示部１２２を通じて削除アイコンの移動前の位置と移動後の位置との間に位置するアイテムを削除することができる。
【００５２】
ステップ６０９において、ユーザは、タッチ入力を維持している状態であり、ステップ６１０で、制御部１４０は、タッチセンサー部１２１を介してタッチ解除が発生するかを判定する。タッチ解除が発生するものと判定すれば、ステップ６１１で、制御部１４０は、アイテム削除過程を完了する。もし、ステップ６１０で、タッチ解除が発生しないものと判定すれば、制御部１４０は、ステップ６１２で、タッチセンサー部１２１を介して削除されたアイテム上にタッチ位置移動動作が入力されるかを判定する。すなわち、制御部１４０は、タッチセンサー部１２１を介して削除されたアイテムが存在した領域にタッチ位置移動動作が入力されるかを判定する。タッチ位置移動動作が入力されたものと判定すれば、制御部１４０は、ステップ６１３で、タッチ位置移動速度が既定の速度閾値Ｖｔｈ以上に該当するかを判定する。本発明の実施形態によって制御部１４０は、ステップ６１２及びステップ６１３で、制御部１４０は、タッチ位置移動速度がＶｔｈ以上であり、且つタッチ位置移動後にすぐタッチが解除される動作が入力されるか、またはタッチ位置移動速度がＶｔｈ未満であり、且つタッチ位置移動後にタッチ入力の維持される動作が入力されるかを判定することができる。
【００５３】
ステップ６１３で、タッチ位置移動速度がＶｔｈ未満のものと判定すれば、制御部１４０は、ステップ６１４で、表示部１２２を制御し、タッチ位置移動経路に沿って削除アイコンを移動させて表示し、ステップ６１５で、表示部１２２を制御し、タッチ位置移動経路上の削除されたアイテムを復元させて表示する。すなわち、表示部１２２は、タッチ位置移動経路上に位置する削除されたアイテムを復元させて表示する。
【００５４】
ステップ６１３で、タッチ位置移動速度がＶｔｈ以上のものと判定すれば、制御部１４０は、ステップ６１６で、表示部１２２を制御し、削除アイコンをタッチ位置移動方向の端部まで移動させて表示し、ステップ６１７で、タッチ位置移動方向に削除されたアイテム全体を復元させて表示する。すなわち、表示部１２２は、タッチ位置移動方向に存在するアイテム全体を復元させて表示するようになる。アイテムが横方向に配列されている場合、ユーザが右側方向にフリックを入力すれば、制御部１４０は、表示部１２２を制御し、削除アイコンを右端まで移動させて表示しながら、削除アイコンが通過する経路上に存在する削除されたアイテム全体を復元させて表示する。
【００５５】
図７は、図６の実施形態によって表示される表示装置１００画面の例示図である。
【００５６】
図７の［ａ］は、１列で入力可能なアイテム入力窓３１、削除アイコン３２及び１７個のアイテム３５（ｗ、ｗ、ｗ、．、ｎ、ｅ、ｗ、ｙ、ｏ、ｒ、ｋ、ｅ、ｒ、．、ｃ、ｏ、ｍ）を表示しており、ユーザが削除アイコン３２にタッチ後、左側方向にタッチ位置移動動作を入力する形態を示している。
【００５７】
図７の［ｂ］は、ユーザが速度閾値Ｖｔｈ未満で削除アイコン３２をアイテム‘ｋ’の隣まで移動させた後、タッチを維持したときに変更される画面に該当する。図７の［ｂ］では、削除アイコン３２がアイテム‘ｋ’まで移動しており、‘ｋ’の後方部である‘ｅｒ．ｃｏｍ’は、削除され、‘ｋ’の前方部である‘ｗｗｗ．ｎｅｗｙｏｒｋ’は、削除されずに維持される。
【００５８】
図７の［ｃ］は、ユーザが速度閾値Ｖｔｈ以上で削除アイコン３２を左側方向に移動させた後、タッチを解除したときに変更される画面に該当する。制御部１４０は、表示部１２２を制御し、削除アイコン３２をアイテム入力窓３１の左端まで移動させて表示した後、元の位置に復帰させて表示する。図７の［ｃ］は、このような動作結果を示し、アイテム入力窓３１に最初表示されていた１７個のアイテム３３（ｗｗｗ．ｎｅｗｙｏｒｋｅｒ．ｃｏｍ）は、すべて削除され、削除アイコン３２は、元の位置に復帰される。
【００５９】
図７の［ｄ］は、図７の［ｂ］状態でユーザが右側方向にタッチ位置移動動作を入力する形態を示している。
【００６０】
図７の［ｅ］は、ユーザが速度閾値Ｖｔｈ未満で削除アイコン３２をアイテム‘．’まで移動させた後、タッチを維持したときに変更される画面に該当する。図７の［ｅ］は、削除アイコン３２がアイテム‘．’まで移動し、‘ｅｒ．’が復元された形態を示す。
【００６１】
図７の［ｆ］は、ユーザが臨界速度Ｖｔｈ以上で削除アイコン３２を右側方向に移動させた後、タッチを解除したときに変更される画面に該当する。制御部１４０は、表示部１２２を制御し、削除アイコン３２をアイテム入力窓３１の右端まで移動させて表示する。図７の［ｆ］は、このような動作結果を示し、図７の［ｂ］と比較するとき、削除されていたアイテムである‘ｅｒ．ｃｏｍ’が復元され、削除アイコン３２が元の位置に復帰された形態を示す。
【００６２】
図８は、本発明のさらに他の実施形態によるアイテム削除機能のＧＵＩ提供方法を説明するフローチャートである。図８の実施形態は、ユーザがアイテム削除開始点を選択することができる実施形態に該当する。
【００６３】
ステップ８０１で、制御部１４０は、表示部１２２を制御し、アイテム入力窓及び削除アイテムを表示する。制御部１４０は、ステップ８０２で、タッチセンサー部１２１を制御し、キー入力を認識すれば、ステップ８０３で、表示部１２２を制御し、入力されたキーに対応するアイテムを表示する。ステップ８０４で、タッチセンサー部１２１を介して削除アイコンへのタッチが入力されれば、ステップ８０５で、制御部１４０は、正しくタッチ解除が発生するかを判定する。タッチ解除が発生したものと判定すれば、ステップ８０６で、制御部１４０は、タッチセンサー部１２１を介してアイテム上にタッチ入力が発生するかを判定する。制御部１４０は、発生したものと判定すれば、ステップ８０７で、表示部１２２を制御し、タッチ入力領域に削除アイコンを表示する。これにより、削除アイコンは、ユーザが選択する位置に移動する。その後、ステップ８０４に進み、制御部１４０は、タッチセンサー部１２１を介して削除アイコンにタッチ入力が発生したものと判定する。ステップ８０５で、正しくタッチ解除が発生しないものと判定すれば、ステップ８０８に進み、制御部１４０は、タッチ位置移動動作が入力されるかを判定する。
【００６４】
タッチ位置移動動作が入力されたものと判定すれば、ステップ８０９で、制御部１４０は、表示部１２２を制御し、タッチ位置移動経路に沿って削除アイコンを移動させて表示し、ステップ８１０で、表示部１２２を制御し、タッチ位置移動経路上に位置するアイテムを削除して表示する。アイテムが１列で配列される場合、制御部１４０は、表示部１２２を通じて削除アイコンが通過する経路に位置するアイテムを削除し、アイテムが複数列で配列される場合、制御部１４０は、表示部１２２を通じて削除アイコンの移動前の位置と移動後の位置との間に存在するアイテムを削除する。
【００６５】
ステップ８１０において、ユーザは、タッチ入力を維持している状態であり、ステップ８１１で、制御部１４０は、タッチセンサー部１２１を介してタッチ解除が発生するかを判定する。タッチ解除が発生するものと判定すれば、ステップ８１２で、制御部１４０は、アイテム削除過程を完了する。
【００６６】
ステップ８０４で、削除アイコンへのタッチが入力されないものと判定すれば、制御部１４０は、ステップ８１３に進み、タッチセンサー部１２１を介してアイテム上にタッチ入力が発生するかを判定する。タッチ入力が発生したものと判定すれば、ステップ８１４で、制御部１４０は、表示部１２２を制御し、タッチ入力された領域にカーソルを表示する。
【００６７】
図９は、図８の実施形態によって表示される表示装置１００画面の例示図である。
【００６８】
図９の［ａ］は、複数の列で入力可能なアイテム入力窓３３、削除アイコン３４及び６列で構成された複数のアイテム３６（Ｔ、ｈ、ｅ、Ｃ、Ｅ、Ｏ、．．．．．ｉ、Ｐ、ｈ、ｏ、ｎ、ｅ）を表示しており、ユーザが削除アイコン３４にタッチを入力する形態を示している。
【００６９】
図９の［ｂ］は、図９の［ａ］でユーザが削除アイコン３４にタッチを解除した後、‘ａｂｒｏａｄ．’の後にタッチを入力した形態を示し、図９の［ｃ］は、図９の［ｂ］でユーザがタッチを解除したときに変更される画面を示す。図９の［ｃ］で、削除アイコン３４は、ユーザがタッチした領域に移動して表示される。その後、ユーザが削除アイコン３４にタッチを入力した後、タッチ位置移動動作を入力すれば、削除アイコン３４の移動経路上に存在するアイテムは、削除され、表示される。
【００７０】
図１０は、本発明のさらに他の実施形態によるアイテム削除機能のＧＵＩ提供方法を説明するフローチャートである。図１０の実施形態は、ユーザによって入力されるタッチ位置移動動作の移動速度と移動方向によって異なる動作を行う実施形態に該当する。図１０の実施形態は、複数列でアイテム入力可能な形態のアイテム入力窓を基準として説明する。
【００７１】
ステップ１００１で、制御部１４０は、表示部１２２を制御し、アイテム入力窓及び削除アイテムを表示する。制御部１４０は、ステップ１００２で、タッチセンサー部１２１を制御し、キー入力を認識すれば、ステップ１００３で、表示部１２２を制御し、入力されたキーに対応するアイテムを表示する。この際、ユーザは、複数の列になるようにアイテムを入力したものと仮定する。ステップ１００４で、タッチセンサー部１２１を介して削除アイコンへのタッチ後、タッチ位置移動動作を入力されれば、ステップ１００５で、制御部１４０は、タッチ位置移動速度が既定の速度閾値Ｖｔｈ以上に該当するかを判定する。図１０の実施形態においてタッチ位置移動速度がＶｔｈ以上の動作は、ユーザがタッチ位置移動後にすぐタッチを解除するフリック（ｆｌｉｃｋ）動作に該当することが好ましい。ステップ１００４及びステップ１００５で、制御部１４０は、タッチ位置移動速度がＶｔｈ以上であり、且つタッチ位置移動後にすぐタッチが解除される動作が入力されるか、またはタッチ位置移動速度がＶｔｈ未満であり、且つタッチ位置移動後にタッチ入力が維持される動作が入力されるかを判定することができる。
【００７２】
ステップ１００５で、タッチ位置移動速度がＶｔｈ以上のものと判定すれば、ステップ１００６で、制御部１４０は、タッチ位置移動方向が横方向であるかを判定する。図１０の実施形態において横方向は、削除アイコンの位置と水平方向に該当する。移動方向が横方向であると判定すれば、制御部１４０は、ステップ１００７で、表示部１２２を制御し、横方向に位置する１列のアイテムを削除して表示する。すなわち、制御部１４０は、表示部１２２を通じて削除アイコンの位置と水平方向に配列された１列のアイテムを削除して表示する。
【００７３】
ステップ１００６で、タッチ位置移動方向が横方向ではないものと判定すれば、ステップ１００８で、制御部１４０は、タッチ位置移動方向がアイテム配列の開始点に向ける方向であるかを判定する。図１０の実施形態においてアイテム配列の開始点に向ける方向は、アイテム入力窓に表示されたアイテムのうち最先順位のアイテムが位置する地点に向ける方向に該当する。本発明の実施形態によって制御部１４０は、ステップ１００８で、タッチセンサー部１２１を介してタッチ位置移動方向がアイテム入力窓の左側上端に向ける方向に該当するかを判定することもできる。
【００７４】
ステップ１００８で、タッチ位置移動方向がアイテム配列の開始点に向ける方向であると判定すれば、ステップ１００９で、制御部１４０は、表示部１２２を制御し、アイテム入力窓に表示されているアイテム全体を削除して表示する。すなわち、ユーザは、１回のフリック動作で入力されたアイテム全体を削除するか、最後の１列を削除することができる。
【００７５】
ステップ１００５で、タッチ位置移動速度が速度閾値Ｖｔｈ未満のものと判定すれば、制御部１４０は、ステップ１０１０で、表示部１２２を制御し、タッチ位置移動経路によって削除アイコンを移動させて表示し、ステップ１０１１で、削除アイコンの移動後の位置と移動前の位置との間のアイテムを削除して表示する。
【００７６】
図１１は、図１０の実施形態によって表示される表示装置１００画面の例示図である。
【００７７】
図１１の［ａ］は、複数の列で入力可能なアイテム入力窓３３、削除アイコン３４及び６列で構成された複数のアイテム３６（Ｔ、ｈ、ｅ、Ｃ、Ｅ、Ｏ、．．．．．ｉ、Ｐ、ｈ、ｏ、ｎ、ｅ）を表示しており、ユーザが削除アイコン３４にタッチ後に左側方向にタッチ位置移動動作を入力する形態を示す。図１１の［ａ］で、ユーザは、左側方向に移動速度が臨界速度Ｖｔｈ以上であり、且つ移動後にすぐタッチを解除するフリック動作を入力したものと仮定する。
【００７８】
図１１の［ｂ］は、図１１の［ａ］で、ユーザが左側方向にフリック動作を入力したときに変更される画面を示す。制御部１４０は、表示部１２２を制御し、削除アイコン３４をアイテム入力窓３３の左側下端まで移動させた後、さらに元の位置に復帰させて表示し、アイテム入力窓３３の移動経路に位置するアイテムである‘ｄｅｖｉｃｅｓ〜ｉＰｈｏｎｅ’を削除して表示する。図１１の［ｂ］は、前記動作結果を示す画面であって、図１１の［ａ］で左側方向に配列された１列のアイテム‘ｄｅｖｉｃｅｓ〜ｉＰｈｏｎｅ’を削除して表示している。
【００７９】
図１１の［ｃ］は、図１１の［ａ］と同様に、複数の列で入力可能なアイテム入力窓３３、削除アイコン３４及び６列で構成された複数のアイテム３６（Ｔ、ｈ、ｅ、Ｃ、Ｅ、Ｏ、．．．．．ｉ、Ｐ、ｈ、ｏ、ｎ、ｅ）を表示しており、ユーザが削除アイコン３４にタッチを入力した後、アイテム入力窓３３の左側上端地点に向ける方向にタッチ位置移動動作を入力する形態を示す。
【００８０】
図１１の［ｄ］は、図１１の［ｃ］でユーザがアイテム入力窓３３の左側上端地点に向ける方向にフリック動作を入力したときに変更される画面を示す。制御部１４０は、表示部１２２を制御し、削除アイコン３４をアイテム入力窓３３の左側上端まで移動させた後、さらに元の位置に復帰させて表示し、アイテム入力窓３３に表示されたアイテム全体を削除して表示する。図１１の［ｄ］は、前記動作結果を示す画面であって、アイテム全体が削除されている。
【００８１】
本発明によって前記記述された方法は、一般的な目的のコンピュータや特殊なプロセッサ、プログラミング、ＡＳＩＣやＦＰＧＡのような精巧なハードウェアなどに使用されるソフトウェアによって実行されるようにＣＤ、ＲＯＭ、ＲＡＭ、フロッピー（登録商標）、ハードディスク、光磁気ディスクのような記録装置に格納され、外部の記憶装置もしくは不揮発性コンピュータ読み取り可能な記憶装置に元々記憶され、ネットワークを介してダウンロードされ、ローカルの記憶装置に記憶される場合も適用され、ハードウェア、ソフトウェアまたはコンピュータコードで使用されることができる。コンピュータ技術分野においてプロセッサやプログラミングが可能なハードウェアは、前記記述された処理方法を行うようにするソフトウェアやコンピュータコードを格納し受信するためのＲＡＭ  ＲＯＭ  Ｆｌａｓｈなどのようなメモリ要素を有している。一般的な目的のコンピュータに前記記述された処理方法を行うためのソフトウェアやコードをダウンロードするか、または接続すれば、一般目的のコンピュータは、少なくとも前記記述された処理方法を行う特殊目的のコンピュータに変わるようになる。
【００８２】
本発明によれば、ユーザは、キーパッドで構成された削除キーを繰り返して入力しないとしても、比較的多い量のテキストを迅速で且つ容易に削除することができ、特に、入力されたテキストの全体を削除するときだけでなく、一部を削除するとき、所望の部分を選択して迅速で且つ容易に削除することができる。
【図１】
2014517386.tif 000003
【図２】
2014517386.tif 000004
【図３】
2014517386.tif 000005
【図４】
2014517386.tif 000006
【図５】
2014517386.tif 000007
【図６】
2014517386.tif 000008
【図７】
2014517386.tif 000009
【図８】
2014517386.tif 000010
【図９】
2014517386.tif 000011
【図１０】
2014517386.tif 000012
【図１１】
2014517386.tif 000013
【国際調査報告】
2014517386.tif 000014
2014517386.tif 000015